(57)【要約】      （修正有）【課題】コンパクトで結露が発生せず、倒しても冷媒が外部に漏出することがなく、効率的に冷風が送風できる冷風供給装置を提供する。【解決手段】冷媒が収容可能な上部が開口した冷媒容器２と、冷媒容器の上部に取付けられる送風部３を備えた冷風供給装置１であって、送風部は、下部が冷媒容器の上部と嵌合する円筒状の外筒部材４と、その外筒部材の上部に嵌合し、内側に間隔をおいて配設される送風ユニット５を有し、送風ユニットには、吸気口及び吸気路と、供給路及び送風口を有する電動ファンが設けられており、電動ファンの回転により、吸気口から吸引された空気が冷媒により冷却され、冷却された空気が電動ファンを通して送風口から送風される。【選択図】図１
2017187263.tif 000002
【特許請求の範囲】
【請求項１】
冷媒が収容可能な上部が開口した冷媒容器と、前記冷媒容器の上部に取付けられる送風部を備えた冷風供給装置であって、
前記送風部は、下部が前記冷媒容器の上部と嵌合する円筒状の外筒部材と、
その外筒部材の上部に嵌合し、内側に間隔をおいて配設される送風ユニットを有し、
前記送風ユニットには、吸気口及び吸気路と、供給路及び送風口を有する電動ファンが設けられており、
前記電動ファンの回転により、前記吸気口から吸引された空気が冷媒により冷却され、冷却された空気が前記電動ファンを通して前記送風口から送風されることを特徴とする冷風供給装置。
【請求項２】
前記送風部の上部に風向調整部が設けられていることを特徴とする請求項１に記載の冷風供給装置。
【請求項３】
前記電動ファンがシロッコファンであることを特徴とする請求項１又は２に記載の冷風供給装置。
【請求項４】
前記冷媒容器と前記外筒部材及び前記外筒部材と前記送風ユニットが密着して嵌合され、前記冷風供給装置が倒れても、前記冷媒容器収容された冷媒の水分が漏出しないことを特徴とする請求項１から３のいずれか一項に記載の冷風供給装置。
【発明の詳細な説明】
【技術分野】
【０００１】  本発明は、冷風供給装置に関する。
【背景技術】
【０００２】  近年、地球温暖化に伴う異常気象の影響により、夏季の最高気温が３８℃、３９℃を観測する日は珍しくなく、その記録を毎年更新している。一方、環境問題や、省エネルギーに対する関心の高まりから、家電製品の消費電力を低く抑えたり、稼働効率を向上させる開発が盛んに行われている。特に夏場の暑さに対する冷房装置等の消費電力は膨大であり、少しでも効率のよい稼働を行うための開発が望まれている。【０００３】  夏場の暑さ対策用の家電製品としては、昔から扇風機が一般家庭に広く普及している。扇風機は、クーラー等に比べて消費電力が圧倒的に低いため、省エネルギー対策の家電製品として好適に用いられる。しかしながら、扇風機による送風は単に空気を循環させるものであり、空気自体の温度を制御するものではないため、扇風機のみによる冷房効果を期待することはできない。【０００４】  このような現状において、扇風機によって冷風を発生させるために、扇風機の後部カバーに装着して用いる簡易型の冷風発生装置が提案されている（例えば、特許文献１を参照）。【０００５】  この提案では、予め冷蔵庫等で冷却しておいた冷却剤を収容した容器を、扇風機の後部カバーに装着し、冷却剤を通過して冷却された空気を、扇風機前方に送風するようにしている。
【先行技術文献】
【特許文献】
【０００６】
【特許文献１】実用新案登録第３１５５８７０号
【発明の概要】
【発明が解決しようとする課題】
【０００７】  しかしながら、この提案では、冷風発生装置を後部カバーに取り付けるため、モーターの熱の影響を受けて冷却効率が低下したり、せっかく冷却された空気が、扇風機の羽根の回転により、羽根周辺の冷却されていない空気と撹拌されてしまい、所定の冷却された空気が前方に送風されない等の問題が指摘されていた。【０００８】  また、冷媒自体に湿気を帯びた空気が接触して通過するため、冷媒に結露が発生していた。そのため、冷媒の結露の水分が下方に落ちて床を濡らしたり、扇風機の電気制御部に落ちて、電気的な不具合の原因となる場合があった。【０００９】  本発明は、コンパクトで結露が発生せず、倒しても冷媒が外部に漏出することがなく、効率的に冷風が送風できる冷風供給装置を提供することを課題とする。
【課題を解決するための手段】
【００１０】  即ち、本発明の冷風供給装置は以下のことを特徴としている。【００１１】  第１に、冷媒が収容可能な上部が開口した冷媒容器と、前記冷媒容器の上部に取付けられる送風部を備えた冷風供給装置であって、前記送風部は、下部が前記冷媒容器の上部と嵌合する円筒状の外筒部材と、その外筒部材の上部に嵌合し、内側に間隔をおいて配設される送風ユニットを有し、前記送風ユニットには、吸気口及び吸気路と、供給路及び送風口を有する電動ファンが設けられており、前記電動ファンの回転により、前記吸気口から吸引された空気が冷媒により冷却され、冷却された空気が前記電動ファンを通して前記送風口から送風されることを特徴とする。
第２に、前記送風部の上部に風向調整部が設けられていることが好ましい。
第３に、前記電動ファンがシロッコファンであることが好ましい。
第４に、前記冷媒容器と前記外筒部材及び前記外筒部材と前記送風ユニットが密着して嵌合され、前記冷風供給装置が倒れても、前記冷媒容器収容された冷媒の水分が漏出しないことが好ましい。
【発明の効果】
【００１２】  上記の本発明によれば、コンパクトで結露が発生せず、倒しても冷媒が外部に漏出することがなく、効率的に冷風が送風できる冷風供給装置を提供することができる。
【図面の簡単な説明】
【００１３】
【図１】本発明の冷風供給装置を示す斜視図である。
【図２】本発明の冷風供給装置の背面を示す斜視図である。
【図３】本発明の冷風供給装置の分解斜視図である。
【図４】本発明の冷風供給装置の送風ユニット及び風向調整部材の構造を示す概略分解斜視図である。
【図５】冷風供給装置の構造を示す概略断面図である。
【発明を実施するための形態】
【００１４】  以下に本発明の冷風供給装置について、図を用いて詳細に説明する。図１は本発明の冷風供給装置を示す斜視図であり、図２はその背面図、図３は分解斜視図である。また、図４は冷風供給装置の送風ユニット及び風向調整部材の構造を示す概略分解斜視図であり、図５は冷風供給装置の構造を示す概略断面図である。
【００１５】  本発明の冷風供給装置１は、冷媒２１が収容可能な上部が開口した冷媒容器２と、冷媒容器２の上部に取付けられる送風部３を備えている。
送風部３は、下部が冷媒容器２の上部と嵌合する円筒状の外筒部材４と、その外筒部材４の上部に嵌合し、内側に間隔をおいて配設される送風ユニット５を有している。また、送風ユニット５には、吸気口５１及び吸気路５２、供給路５３及び送風口５４１を有する電動ファン５４が設けられている。
【００１６】  冷媒容器２は、上部が開口したコップ状の容器であり、内部に冷媒２１を収容できるものである。冷媒容器２の材質は、耐久性を有するものであれば特に制限はなく、例えば、プラスチック、ステンレスやアルミニウム等の金属、ガラス等を用いることができる。
【００１７】  また、可能な限り冷媒２１の保冷性を維持可能な構造とするのが好ましく、例えば、図５に示すように、壁面を外層と内層２２の二層構造として層内部２３を真空にしたり、層内部２３に発泡ポリスチレン等の断熱材を設けたりして優れた断熱性を付与した構造のものを挙げることができる。これら保冷性を維持可能な構造は、外表面の結露の発生を抑制する効果も有するためより好ましい。
【００１８】  冷媒容器２内に収容する冷媒２１は、外気の温かい空気の温度を低下させることが可能なものであれば特に限定されるものではなく、例えば、氷、保冷剤、冷水、ドライアイス等を用いることができる。
【００１９】  冷媒容器２の上部には送風部３が設けられている。送風部３は、外筒部材４と送風ユニット５から構成されており、外気を冷媒容器２内に取り込んだ後、冷却された空気を連続的に送風するための装置である。
【００２０】  送風部３を構成する外筒部材４は、内側に間隔を置いて送風ユニット５を内設するとともに、上縁部で送風ユニット５と嵌合して保持し、さらに、冷媒容器２の上部とも嵌合する部材である。外筒部材４と送風ユニット５との嵌合は冷媒容器２内の液体が漏出しないように嵌合されている。また、これらは取り外し可能に嵌合させてもよいし、接着剤等によって取外しができないように接着することもできる。
【００２１】  冷媒容器２と外筒部材４との嵌合は、冷媒容器２内に冷媒２１を出し入れ可能に収容するために、取り外しが可能となっている。また、嵌合方法は、嵌合部から冷媒２１の液体が漏出しなければ特に限定されるものではなく、例えば、外筒部材４の下部と冷媒容器２上部に其々雄ねじ及び雌ねじを形成して螺合させたり、外筒部材４の下部を可撓性を有する部材により形成して冷媒容器２の上部に嵌め込む等の方法を例示することができる。また、冷媒２１の液体の漏出の防止を確実にするために、図３に示すように、嵌合部にパッキン２４を介在させることもできる。
【００２２】  外筒部材４の材質は特に限定されるものではなく、外観の統一性等を考慮して冷媒容器２の材質に合わせることが好ましい。具体的には、例えば、プラスチック、ステンレスやアルミニウム等の金属、ガラス等を例示することができる。
【００２３】  送風ユニット５は、側部の一部を外部に露出した状態で外筒部材４の上部に嵌合されるとともに、外筒部材４の内側面に間隔をおいて配設される。送風ユニット５の下端部は冷媒容器２の底部に接触しないように配設されるとともに、冷媒容器２内に冷媒２１を収容した状態で冷媒２１に接触しない程度に配設される。
【００２４】  送風ユニット５の形状は、上記条件を満足するものであれば特に制限されるものではないが、外筒部材４の上部に嵌合し、下方に向かうにつれて径が小さくなる逆円錐台形状とするのが好ましい。このように逆円錐台形状とすることにより、外筒部材４の内側面と送風ユニット５の間に間隔を置くことができ、空間を形成することができる。
【００２５】  送風ユニット５には吸気路５２及び供給路５３が設けられている。吸気路５２及び供給路５３は、この送風ユニット５内に形成されており、吸気路５２の上端部には吸気口５１が形成されており、吸気口５１は送風ユニット５が外部に露出した側面に開口している。
【００２６】  なお、吸気口５１には蓋５１０を設けることができ、冷風供給装置１を使用しないときには蓋５１０により吸気口５１を塞ぐことができる。これにより、不使用時に冷媒２１を冷却状態で保温させたり、液体の漏出を確実に防止することができる。
【００２７】  また、供給路５３の上部には送風口５４１を有する電動ファン５４が設けられている。電動ファン５４は、外気を吸気口５１から吸い込み、外気を冷媒２１により冷却した後に送風口５４１から排出、送風するためのものである。電動ファン５４の形式は、空気を連続的に送風可能なものであれば特に限定されるものではなく、例えば、プロペラ式のファンやシロッコファン等を用いることができる。これらの中でも、省スペース性、静音性等の観点からシロッコファンを好適に用いることができる。
【００２８】  電動ファン５４の電源は、電動ファン５４を構成するモーターの仕様に応じて適宜決定されるものであり、直流モーターの場合には一次乾電池や二次電池、太陽電池、パソコン等のＵＳＢコネクタからの電源、また、ＡＣアダプターを介して家庭用電源から供給することもできる。また、モーターの仕様に応じて供給電圧を昇圧、降圧して、適切な電圧に調整して供給することもできる。さらに、交流モーターの場合には、一般家庭用電源からの電気をトランス等により変圧した電気を供給することもできる。これらの中でも、図３、図４に示すように電池ボックス５５を設けて、一般に購入可能な一次電池又は充電可能な二次電池を用いるのが好ましい。
【００２９】  また、電源スイッチ６４は、容易に電動ファン５４のオンオフ操作が可能なものであれば特に限定されるものではないが、操作性を考慮した場合、オルタネイト型の電源スイッチ６４を用いるのが好ましい。また、電源スイッチ６４の配置位置は特に限定されるものではないが、操作性を考慮して冷風供給装置１の上部側部に設けるのが好ましい。
【００３０】  本実施形態の冷風供給装置１においては、上記送風部３の上部に風向調整部６を設けるのが好ましい。具体的には、図１〜図５に示すように、ベース部材６１と調整部材６２及びネット部材６３を備えたものを用いることができる。
【００３１】  本実施形態の冷風供給装置１の風向調整部６では、ベース部材６１は送風部３の上部に固定され、ベース部材６１と調整部材６２は左右が留め具６５により回動自在に取付けられるとともに、留め具６５部分に電源スイッチ６４が設けられている。風向調整部６を設けることにより、送風部３から送風される冷風の風向を調整可能とすることができる。
【００３２】  また、調整部材６２にはネット部材６３が取り外し可能に設けられており、ネット部材６３の装着により、送風部３の電動ファン５４に異物が入るのを防止できるようになっている。また、電源として電池を用いた場合の電池交換は、ネット部材６３を取り外すことにより容易にできるようになっている。
【００３３】  さらに、本実施形態の冷風供給装置１では、送風ユニット５の側面にベルト取付部５６を設けることにより、ベルト７が取付け可能となっている。これにより、本発明の冷風供給装置１の持ち運びを容易にしたり、首から下げて顔の下方から冷風を送風することが可能となる。
【００３４】  以下に、上記構造の本実施形態の冷風供給装置１による冷風発生の機序及び機能について図５を用いて詳細に説明する。
【００３５】  まず、冷媒容器２内に冷媒２１を収容した状態で使用者が電源スイッチ６４をオンにすると電動ファン５４が回転し、冷媒容器２内の空気が供給路５３を介して電動ファン５４の送風口５４１から排出、送風される。すると、冷媒容器２内が減圧状態となり、外気が吸気路５２を介して吸気口５１から冷媒容器２内に吸入される。
【００３６】  ここで、例えば、夏季の高い気温の外気は、冷媒容器２に導入された段階で冷媒２１と接触して熱交換が行われ、冷却された冷たい空気となる。そして、この冷たい空気は供給路５３を介して電動ファン５４に導入され、冷風として送風口５４１から排出、拡散される。
【００３７】  なお、冷媒２１の冷却機能が低下して冷風が拡散されなくなった場合には、送風部３を冷媒容器２から外して新しい冷媒２１を入れ替えることにより、再度冷風を拡散させることができる。
【００３８】  また、本実施形態の冷風供給装置１においては、吸気路５２及び供給路５３は送風ユニット５に形成されており、この送風ユニット５は冷媒容器２の内壁に間隔を置いて内設され、上部が密閉されて嵌合されている。このような構造とすることにより、例えば、液体状の冷媒２１を収容した状態で冷風供給装置１を倒してしまった場合であっても、冷媒２１の液体は送風ユニット５と外筒部材４内壁の間の空間に溜まり、吸気路５２又は供給路５３を通して送風口５４１又は吸気口５１から外に漏出することがない。
【００３９】  即ち、上記の構成を有する本発明の冷風供給装置１によれば、倒しても冷媒２１の液体が漏出することがなく、効率的に冷風を供給することができる
【００４０】  以上、本発明の冷風供給装置１を一実施形態に基づいて説明したが、本発明は上記の実施形態に限定されるものではなく、その要旨を逸脱しない範囲内において種々の変形、変更が可能である。
【００４１】  例えば、上記実施形態では、送風部３の下部と冷媒２１との間には何も介在させない構成としているが、この部分に網等の仕切り部材を設けることもできる。これにより、冷媒２１を安定させることができるとともに吸気路５２からの外気をより効率的に冷媒２１と接触させることができる。
【００４２】  また、上記実施形態では、外筒部材４と送風ユニット５を別体の部材として送風部３を構成しているが、外筒部材４と送風ユニット５を一体に形成することもできる。
【００４３】  また、電源スイッチ６４に可変抵抗を備えたものを用いることにより、電動ファン５４の回転数、即ち、風量を段階的又は連続的に変更可能とすることもできる。
【符号の説明】
【００４４】    １  冷風供給装置
２  冷媒容器
２１  冷媒
３  送風部
４  外筒部材
５  送風ユニット
５１  吸気口
５２  吸気路
５３  供給路
５４  電動ファン
５４１  送風口
６  風向調整部
【図１】
2017187263.tif 000003
【図２】
2017187263.tif 000004
【図３】
2017187263.tif 000005
【図４】
2017187263.tif 000006
【図５】
2017187263.tif 000007